(57)【要約】【課題】  アンテナを端末機本体に容易に固く結合し得るため、アンテナの組立性及び生産性を向上し、アンテナのテンション部を印刷回路基板の接触部に常に弾力的接触した状態を維持させて、アンテナの接触性が向上した携帯端末機及びそのアンテナを提供する。【解決手段】  アンテナのテンション部を端末機本体のアンテナ収容部の内部に挿入するとき、案内突条と案内溝との結合によってアンテナがアンテナ収容部の内部に円滑にスライド挿入され、アンテナのテンション部がアンテナ収容部内に完全に挿入される瞬間、ロック突条をがロック溝に係止させる。【選択図】    図２
2005333650.tif 000002
【特許請求の範囲】
【請求項１】
アンテナを装着するため端末機本体の一方側に突成されたアンテナ収容部と、
前記アンテナ収容部の内部にスライド挿入されて、前記端末機本体の内部の印刷回路基板のアンテナ接触部と弾性を有して電気的に接触するアンテナと、
を含むことを特徴とする携帯端末機。
【請求項２】
前記アンテナは、
前記アンテナ収容部の外部に露出した本体部と、
前記本体部の下方に延設された結合部と、 
前記結合部に固定され、一方端が前記アンテナ接触部と弾力的に接触するテンション部と、
前記結合部とテンション部とを締め付ける締結手段と、を含むことを特徴とする請求項１に記載の携帯端末機。
【請求項３】
前記テンション部は、前記アンテナ接触部と弾力的に接触するように所定角度屈曲されることを特徴とする請求項１に記載の携帯端末機。
【請求項４】
前記アンテナ収容部の内周面の所定位置と前記所定位置に対応する前記結合部の外周面の所定位置とには、それぞれ案内突条と案内溝とが形成されることを特徴とする請求項１に記載の携帯端末機。
【請求項５】
前記アンテナ収容部の内周面の端部と前記端部に対応する前記結合部の端部とには、前記アンテナ収容部の内部に挿入された前記アンテナの離脱を防止するためにそれぞれロック突条とロック溝とが形成されることを特徴とする請求項１に記載の携帯端末機。
【請求項６】
前記テンション部は、金属材で製造されることを特徴とする請求項２に記載の携帯端末機。
【請求項７】
前記締結手段は、ボルトとナットでなることを特徴とする請求項１に記載の携帯端末機。
【請求項８】
前記締結手段は、リベットであることを特徴とする請求項１に記載の携帯端末機。
【請求項９】
前記アンテナのテンション部の中間部位に前記アンテナ接触部と接触する接触突条が形成されることを特徴とする請求項２に記載の携帯端末機。
【請求項１０】
携帯端末機のアンテナ収容部の外部に露出するように挿合されたアンテナ本体部と、
前記本体部の下方に延設された結合部と、
前記結合部に固定され、一方端が前記アンテナ接触部と弾力的に接触するテンション部と、
前記結合部とテンション部とを締め付ける締結手段と、
を含むことを特徴とする携帯端末機のアンテナ。
【請求項１１】
前記テンション部は、前記アンテナ接触部に弾力的に接触するように所定角度に屈曲形成されることを特徴とする請求項１０に記載の携帯端末機のアンテナ。
【請求項１２】
前記アンテナ収容部の内周面の所定位置と前記所定位置に対応する前記アンテナ結合部の外周面所定位置には、それぞれ案内突条と案内溝とが形成されることを特徴とする請求項１０に記載の携帯端末機のアンテナ。
【請求項１３】
前記アンテナ収容部の内周面の端部と前記端部に対応する前記結合部の端部とには、前記アンテナ収容部の内部に挿入された前記アンテナの離脱を防止するためにそれぞれロック突条とロック溝とが形成されることを特徴とする請求項１０に記載の携帯端末機のアンテナ。
【請求項１４】
前記テンション部は、金属材でなることを特徴とする請求項１０に記載の携帯端末機のアンテナ。
【請求項１５】
前記締結手段は、ボルトとナットでなることを特徴とする請求項１０に記載の携帯端末機のアンテナ。
【請求項１６】
前記締結手段は、リベットであることを特徴とする請求項１０に記載の携帯端末機のアンテナ。
【請求項１７】
前記アンテナのテンション部の中間部には、前記アンテナ接触部と接触する接触突条が形成されることを特徴とする請求項１０に記載の携帯端末機のアンテナ。
【発明の詳細な説明】
【技術分野】
【０００１】
本発明は、携帯端末機及び携帯端末機のアンテナに関し、詳しくは、アンテナをより容易に組み立てることができると共に、アンテナと印刷回路基板との接触性を向上し得る携帯端末機及び携帯端末機のアンテナに関する。
【背景技術】
【０００２】
一般に、携帯端末機は、使用者が端末機を携帯して移動中に通話し得る無線通信機器であって、近年は、単純な音声送受信だけでなく、マルチメディア機能が一層強化され、より多くの情報を送受信し得るようになっている。従って、アンテナが携帯端末機の性能を決定する重要な構成要素となってきている。
【０００３】
図５は、従来の携帯端末機のアンテナ装着構造を示した斜視図で、図６は、従来の携帯端末機のアンテナとブッシングとの結合構造を示した縦断面図で、図示されたように、従来の携帯端末機１０は、情報を入力して通信を制御し得るように内部に印刷回路基板１１が収容された端末機本体１２と、端末機本体１２を開閉する蓋部（図示せず）と、端末機本体１２に蓋部（図示せず）を所定回転範囲内で開閉させるヒンジ部（図示せず）と、無線通信信号を送受信するために端末機本体１２の上方端に設置されたアンテナ１５と、を含む。
かつ、端末機本体１２の一方側には、アンテナ収容部１６が突成され、アンテナ収容部１６の内部にアンテナ１５のねじ部１５ａが挿合されることにより、ねじ部１５ａが端末機本体１２の内部に設置された金属材質のブッシング１７のねじ部１７ａに締め付けられる。
【０００４】
また、ブッシング１７の外周面には、印刷回路基板１１の接触部１１ａに接触するテンション部１７ｂが設置されることにより、テンション部１７ｂにより印刷回路基板１１の接触部１１ａにアンテナ１５が電気的に接続される。
【０００５】
しかしながら、このように構成された従来の携帯端末機は、アンテナ１５をアンテナ収容部１６に固定するためにブッシング１７が必要であり、アンテナ１５をブッシング１７に螺合するように構成されているため、アンテナ１５の組立性及び生産性が低下するという問題点があった。
【発明の開示】
【発明が解決しようとする課題】
【０００６】
本発明は、このような問題点を解決するために提案されたもので、本発明の目的は、アンテナをより容易に組立てると共に、アンテナと印刷回路基板との接触性を向上し得る携帯端末機及びそのアンテナを提供することにある。
【課題を解決するための手段】
【０００７】
上記目的を達成するために、本発明は、例えば、以下を提供する。
【０００８】
（項目１）  アンテナを装着するため端末機本体の一方側に突成されたアンテナ収容部と、
前記アンテナ収容部の内部にスライド挿入されて、前記端末機本体の内部の印刷回路基板のアンテナ接触部と弾性を有して電気的に接触するアンテナと、
を含むことを特徴とする携帯端末機。
【０００９】
（項目２）
前記アンテナは、
前記アンテナ収容部の外部に露出した本体部と、
前記本体部の下方に延設された結合部と、 
前記結合部に固定され、一方端が前記アンテナ接触部と弾力的に接触するテンション部と、
前記結合部とテンション部とを締め付ける締結手段と、を含むことを特徴とする項目１に記載の携帯端末機。
【００１０】
（項目３）
前記テンション部は、前記アンテナ接触部と弾力的に接触するように所定角度屈曲されることを特徴とする項目１に記載の携帯端末機。
【００１１】
（項目４）
前記アンテナ収容部の内周面の所定位置と前記所定位置に対応する前記結合部の外周面の所定位置とには、それぞれ案内突条と案内溝とが形成されることを特徴とする項目１に記載の携帯端末機。
【００１２】
（項目５）
前記アンテナ収容部の内周面の端部と前記端部に対応する前記結合部の端部とには、前記アンテナ収容部の内部に挿入された前記アンテナの離脱を防止するためにそれぞれロック突条とロック溝とが形成されることを特徴とする項目１に記載の携帯端末機。
【００１３】
（項目６）
前記テンション部は、金属材で製造されることを特徴とする項目２に記載の携帯端末機。
【００１４】
（項目７）
前記締結手段は、ボルトとナットでなることを特徴とする項目１に記載の携帯端末機。
【００１５】
（項目８）
前記締結手段は、リベットであることを特徴とする項目１に記載の携帯端末機。
【００１６】
（項目９）
前記アンテナのテンション部の中間部位に前記アンテナ接触部と接触する接触突条が形成されることを特徴とする項目２に記載の携帯端末機。
【００１７】
（項目１０）
携帯端末機のアンテナ収容部の外部に露出するように挿合されたアンテナ本体部と、
前記本体部の下方に延設された結合部と、
前記結合部に固定され、一方端が前記アンテナ接触部と弾力的に接触するテンション部と、
前記結合部とテンション部とを締め付ける締結手段と、
を含むことを特徴とする携帯端末機のアンテナ。
【００１８】
（項目１１）
前記テンション部は、前記アンテナ接触部に弾力的に接触するように所定角度に屈曲形成されることを特徴とする項目１０に記載の携帯端末機のアンテナ。
【００１９】
（項目１２）
前記アンテナ収容部の内周面の所定位置と前記所定位置に対応する前記アンテナ結合部の外周面所定位置には、それぞれ案内突条と案内溝とが形成されることを特徴とする項目１０に記載の携帯端末機のアンテナ。
【００２０】
（項目１３）
前記アンテナ収容部の内周面の端部と前記端部に対応する前記結合部の端部とには、前記アンテナ収容部の内部に挿入された前記アンテナの離脱を防止するためにそれぞれロック突条とロック溝とが形成されることを特徴とする項目１０に記載の携帯端末機のアンテナ。
【００２１】
（項目１４）
前記テンション部は、金属材でなることを特徴とする項目１０に記載の携帯端末機のアンテナ。
【００２２】
（項目１５）
前記締結手段は、ボルトとナットでなることを特徴とする項目１０に記載の携帯端末機のアンテナ。
【００２３】
（項目１６）
前記締結手段は、リベットであることを特徴とする項目１０に記載の携帯端末機のアンテナ。
【００２４】
（項目１７）
前記アンテナのテンション部の中間部には、前記アンテナ接触部と接触する接触突条が形成されることを特徴とする項目１０に記載の携帯端末機のアンテナ。
【００２５】
このような目的を達成するために本発明の携帯端末機は、アンテナを装着するために端末機本体の一方側に突成されるアンテナ収容部と、前記アンテナ収容部の内部にスライド挿入されて、前記端末機本体の内部に設置された印刷回路基板のアンテナ接触部と弾力的に電気的に接触するアンテナと、を含むことを特徴とする。
【００２６】
また、本発明の携帯端末機のアンテナは、前記アンテナ収容部の外部に露出された本体部と、前記本体部の下方に延設された結合部と、前記結合部に固定され、一方端が前記アンテナ接触部と弾力的に接触するテンション部と、前記結合部とテンション部とを締め付ける締結手段と、を含むことを特徴とする。
【００２７】
前記テンション部は、前記アンテナ接触部と弾力的に接触するように所定角度屈曲されることを特徴とする。
【００２８】
また、前記アンテナ収容部の内周面の所定位置と前記所定位置に対応する前記結合部の外周面の所定位置とには、それぞれ案内突条と案内溝とが形成されることを特徴とする。
【００２９】
また、前記アンテナ収容部の内周面の端部と前記端部に対応する前記結合部の端部とには、前記アンテナ収容部の内部に挿入された前記アンテナの離脱を防止するためにそれぞれロック突条とロック溝とが形成されることを特徴とする。
【００３０】
また、前記アンテナのテンション部の中間部位に前記アンテナ接触部と接触する接触突条が形成されることを特徴とする。
【発明の効果】
【００３１】
本発明は、アンテナのテンション部を端末機本体のアンテナ収容部内部に挿入するとき、案内突条と案内溝との結合によってアンテナがアンテナ収容部の内部に円滑にスライド挿入され、アンテナのテンション部がアンテナ収容部の内部に完全に挿入される瞬間にロック突条がロック溝に係止されることにより、アンテナを端末機本体に容易に固く結合し得るため、アンテナの組立性及び生産性が向上するという効果がある。
【００３２】
また、アンテナのテンション部が印刷回路基板の接触部に常に弾力的に接触した状態を維持するため、アンテナの接触性が向上し得るという効果がある。
【発明を実施するための最良の形態】
【００３３】
以下、図面を参照して本発明に係る通信無線端末機に対して説明する。
【００３４】
図１は、本発明に係る携帯端末機のアンテナ装着構造を示した内部斜視図で、図２は、本発明に係る携帯端末機のアンテナとブッシングとの結合構造を示した分離  斜視図で、図３は、本発明に係る携帯端末機のアンテナとブッシングとの結合構造を示した縦断面図で、図示されたように、本発明の携帯端末機１００は、アンテナ１２０を装着するために端末機本体１４０の一方側に形成されたアンテナ収容部１１０と、アンテナ収容部１１０の内部にスライド挿入されて端末機本体１４０の内部に設置された印刷回路基板１３０のアンテナ接触部１３１と弾力的に電気的に接触するアンテナ１２０と、を含む。
【００３５】
また、本発明に係るアンテナ１２０は、アンテナ収容部１１０の外部に露出する本体部１２１と、本体部１２１の下方に延設された結合部１２３と、結合部１２３に固定され、一部がアンテナ接触部１３１と弾力的に接触するテンション部１２５と、結合部１２３とテンション部１２５とを締め付ける締結手段と、を含む。
【００３６】
また、テンション部１２５は、アンテナ接触部１３１と弾力的に接触するように中間部が所定角度屈曲されている。
【００３７】
また、アンテナ収容部１１０の内周面の所定位置に案内突条１１１が形成され、案内突条１１１に対応する結合部１２３の外周面の所定位置に案内溝１２４が形成される。
【００３８】
よって、案内突条１１１が案内溝１２４に係止することにより、アンテナ１２０がアンテナ収容部１１０の内部に円滑にスライド挿入して係止されることになる。
【００３９】
また、アンテナ収容部１１０の内周面端部と前記端部に対応する結合部１２３の端部には、それぞれアンテナ収容部１１０の内部に挿入されたアンテナ１２０の離脱を防止するためにそれぞれロック突条１１３とロック溝１２９とが形成されるが、このとき、ロック突条１１３は、結合部１２３と一体に突成されることにより、アンテナ１２０のテンション部１２５がアンテナ収容部１１０の内部に完全に挿入される瞬間、そのロック突条１１３がロック溝１２９に係合されるため、アンテナ１２０はアンテナ収容部１１０に固く結合される。
【００４０】
ここで、テンション部１２５は、通信信号を送受信し得るようにアンテナ接触部１３１に電気的接触するため、金属材により形成される。
【００４１】
また、前記締結手段は、図４に示したリベット１２７を使用することもあり、周知のボルトとナット（図示せず）を使用することもある。
【００４２】
図４は、本発明に係る携帯端末機のテンション部の変形例を示した分離斜視図で、図示されたように、アンテナ１２０のテンション部１２５の中間部に接触突条１２５ａを形成することにより、接触突条１２５ａを印刷回路基板１３０のアンテナ接触部１３１により弾力的に接触させることもできる。
【００４３】
以下、このように構成された本発明に係る携帯端末機の組立動作を説明する。
【００４４】
図２及び図３に示したように、アンテナ１２０の結合部１２３にテンション部１２５がリベット１２７により締め付けられている。その後、アンテナ収容部１１０にアンテナ１２０を組み立てるために、作業者がアンテナ１２０のテンション部１２５をアンテナ収容部１１０の内部に挿入して案内溝１２４に案内突条１１１を係止した後、アンテナ１２０のテンション部１２５をアンテナ収容部１１０の内部に押し入れる。
【００４５】
すなわち、案内溝１２４に案内突条１１１がスライドして係止されるため、アンテナ１２０はアンテナ収容部１１０の内部に円滑にスライド挿入される。
【００４６】
次に、アンテナ１２０がアンテナ収容部１１０の内部に完全に挿入される瞬間、ロック突条１２３がロック溝１２９に係止されるため、アンテナ１２０はアンテナ収容部１１０内部に固く固定される。
【００４７】
ここで、アンテナ収容部１１０の内部に挿入されたテンション部１２５は、印刷回路基板１３０のアンテナ接触部１３１と弾力的に接触した状態に維持される。
【００４８】
このように、端末機本体１４０のアンテナ収容部１１０の内部にアンテナ１２０をスライド挿入すると、アンテナ１２０がスライド挿入されると同時に、テンション部１２５が印刷回路基板１３０のアンテナ接触部１３１と弾力的に接触するため、アンテナ１２０は印刷回路基板１３０と常に電気的に連結した状態を維持し得る。
【００４９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５０】
【図１】本発明に係る携帯端末機のアンテナ装着構造を示した内部斜視図である。
【図２】本発明に係る携帯端末機のアンテナとブッシングとの結合構造を示した分離斜視図である。
【図３】本発明に係る携帯端末機のアンテナとブッシングとの結合構造を示す縦断面図である。
【図４】本発明に係る携帯端末機のテンション部の変形例を示した斜視図である。
【図５】従来の携帯端末機のアンテナ装着構造を示した斜視図である。
【図６】従来の携帯端末機のアンテナとブッシングとの結合構造を示した縦断面図である。
【符号の説明】
【００５１】
１００：携帯端末機
１１０：アンテナ収容部（ａｎｔｅｎｎａ  ｒｅｃｅｉｖｉｎｇ  ｐｏｒｔｉｏｎ）
１１１：案内突条（ｇｕｉｄｅ  ｐｏｒｔｉｏｎ）
１１３：ロック突条（ｌｏｃｋｉｎｇ  ｐｏｒｔｉｏｎ）
１２０：アンテナ
１２１：本体部
１２３：結合部
１２４：案内溝（ｇｕｉｄｅ  ｇｒｏｏｖｅ）
１２５：テンション部（ｔｅｎｓｉｏｎ  ｐｏｒｔｉｏｎ）
１２５ａ：接触突条（ｅｍｂｏｓｓｉｎｇ  ｐｏｒｔｉｏｎ）
１２７：リベット（ｒｉｖｅｔ）
１２９：ロック溝（ｌｏｃｋｉｎｇ  ｇｒｏｏｖｅ）
１３０：印刷回路基板（ｐｒｉｎｔｅｄ  ｃｉｒｃｕｉｔ  ｂｏａｒｄ）
１３１：アンテナ接触部（ａｎｔｅｎｎａ  ｃｏｎｔａｃｔ  ｐｏｒｔｉｏｎ）
１４０：端末機本体（ｔｅｒｍｉｎａｌ  ｂｏｄｙ）
【図１】
2005333650.tif 000003
【図２】
2005333650.tif 000004
【図３】
2005333650.tif 000005
【図４】
2005333650.tif 000006
【図５】
2005333650.tif 000007
【図６】
2005333650.tif 000008